(57)【特許請求の範囲】
【請求項１】
分電盤の分岐ブレーカの二次側に配置される本体部の表裏に、表裏の変流器の巻線部が互いに重なり合うように変流器を千鳥状に保持できる変流器保持部を形成し、これらの各変流器保持部に変流器を保持させたことを特徴とする分電盤における変流器保持部材。
【請求項２】
本体部の端部に切欠き部を設け、隣接する変流器保持部材の本体部の端部と重なりあうように配置可能としたことを特徴とする請求項１記載の分電盤における変流器保持部材。
【請求項３】
変流器保持部が、変流器を保持する複数の係止爪を備えたものであることを特徴とする請求項１または２に記載の分電盤における変流器保持部材。
【請求項４】
請求項１記載の変流器保持部材を分電盤に組み込んで変流器保持部材を備えたセンサー付分電盤を構成し、前記変流器保持部に保持させた変流器により負荷電流を検出することを特徴とする変流器保持部材を備えたセンサー付分電盤における電流検知方法。
【請求項５】
請求項２記載の変流器保持部材を分電盤に組み込んで変流器保持部材を備えたセンサー付分電盤を構成し、前記変流器保持部に保持させた変流器により負荷電流を検出することを特徴とする変流器保持部材を備えたセンサー付分電盤における電流検知方法。
【請求項６】
請求項３記載の変流器保持部材を分電盤に組み込んで変流器保持部材を備えたセンサー付分電盤を構成し、前記変流器保持部に保持させた変流器により負荷電流を検出することを特徴とする変流器保持部材を備えたセンサー付分電盤における電流検知方法。
【請求項７】
請求項１記載の変流器保持部材を分電盤に組み込んだことを特徴とする変流器保持部材を備えたセンサー付分電盤。
【請求項８】
請求項２記載の変流器保持部材を分電盤に組み込んだことを特徴とする変流器保持部材を備えたセンサー付分電盤。
【請求項９】
請求項３記載の変流器保持部材を分電盤に組み込んだことを特徴とする変流器保持部材を備えたセンサー付分電盤。
【発明の詳細な説明】
【技術分野】
【０００１】
本発明は、負荷電流を監視するために分電盤に組み込んで使用される変流器保持部材と、変流器保持部材を備えたセンサー付分電盤における電流検知方法、及び変流器保持部材を備えたセンサー付分電盤に関するものである。
【背景技術】
【０００２】
分電盤においては、主幹ブレーカから配線された主幹バーに多数の分岐ブレーカが接続され、これらの分岐ブレーカの二次側に各々の負荷が接続されている。近年の省エネルギー志向により、負荷電流をリアルタイムで監視したいという需要があり、その場合には各分岐ブレーカにそれぞれ変流器（ＣＴ）を取り付けて各負荷に流れる電流を検出するのが一般的である。
【０００３】
そのため例えば特許文献１に示されるように、各分岐ブレーカの二次側のレールに変流器を取り付けておき、各分岐ブレーカの負荷側端子から引き出される二次側の電線を変流器に通すことにより、負荷電流を検出する構造が提案されている。
【０００４】
しかし最近では分岐ブレーカの幅寸法は次第に小型化しているため、各分岐ブレーカに対応させて変流器を保持するためのスペースも狭くなっている。また変流器を取り付けることができたとしても、変流器の相互の間隔が小さいために、客先で行われる分岐ブレーカの二次側の配線作業が困難となることがあった。さらに負荷電流の検出精度を高めるためにはやや大型の変流器を使用する必要があり、各分岐ブレーカに対応させて多数の変流器を配置すること自体が困難な場合もあった。
【先行技術文献】
【特許文献】
【０００５】
【特許文献１】特開平６−１６５３２０号公報
【発明の概要】
【発明が解決しようとする課題】
【０００６】
従って本発明の目的は上記した従来の問題点を解決し、分岐ブレーカの幅寸法が小さい場合にも分岐ブレーカの二次側の配線作業を容易に行うことができ、しかも測定精度の高い大型の変流器をも組み込むことができる分電盤における変流器保持部材を提供することである。また本発明の目的は、この変流器保持部材を備えたセンサー付分電盤における電流検知方法、及び変流器保持部材を備えたセンサー付分電盤を提供することである。
【課題を解決するための手段】
【０００７】
上記の課題を解決するためになされた請求項１の発明の分電盤における変流器保持部材は、分電盤の分岐ブレーカの二次側に配置される本体部の表裏に、表裏の変流器の巻線部が互いに重なり合うように変流器を千鳥状に保持できる変流器保持部を形成し、これらの各変流器保持部に変流器を保持させたことを特徴とするものである。
【０００８】
また請求項２のように、本体部の端部に切欠き部を設け、隣接する変流器保持部材の本体部の端部と重なりあうように配置可能とすることが好ましい。さらに請求項３のように、変流器保持部が、変流器を保持する複数の係止爪を備えたものであることが好ましい。
【０００９】
また本発明の電流検知方法は、請求項１から３の何れかに記載の変流器保持部材を分電盤に組み込んで変流器保持部材を備えたセンサー付分電盤を構成し、前記変流器保持部に保持させた変流器により負荷電流を検出することを特徴とするものである。
【００１０】
また本発明のセンサー付分電盤は、請求項１から３の何れかに記載の変流器保持部材を分電盤に組み込んだことを特徴とするものである。
【発明の効果】
【００１１】
本発明の分電盤における変流器保持部材は、板状の本体部の表裏に、表裏の変流器の巻線部が互いに重なり合うように変流器を千鳥状に保持できる変流器保持部を形成したものであるから、分岐ブレーカの幅寸法よりも大きな変流器を各分岐ブレーカに対応させて保持することができる。また表面側あるいは裏面側において隣接する変流器の間隔を分岐ブレーカの幅寸法の２倍とすることができるので、変流器への配線作業も容易に行うことができる。
【００１２】
また本発明の本発明のセンサー付分電盤は、分岐ブレーカの幅寸法が小さい場合にも大型の変流器を各分岐ブレーカに対応させて保持することができる。したがって本発明の電流検知方法によれば、負荷電流の検出精度を高めることができる。
【図面の簡単な説明】
【００１３】
【図１】本発明の変流器保持部材を組み込んだ分電盤の全体図である。
【図２】変流器の幅と分岐ブレーカの幅との関係を示す拡大図である。
【図３】変流器保持部材の斜視図である。
【図４】変流器保持部材の背面斜視図である。
【図５】変流器保持部材の上面図である。
【図６】変流器を保持させた状態を示す斜視図である。
【図７】変流器を保持させた状態を示す上面図である。
【図８】変流器を保持させた状態を示す正面図である。
【図９】変流器保持部材を隣接配置した状態を示す上面図である。
【発明を実施するための形態】
【００１４】
以下に本発明の実施形態を説明する。
図１は本発明の変流器保持部材を組み込んだ分電盤の全体図であり、１は主幹ブレーカ、２はその二次側に接続された主幹バー、３はこの主幹バー２に接続された多数の分岐ブレーカである。この実施形態では分岐ブレーカ３はプラグインブレーカであり、３層に積層配置された主幹バー２の両側にプラグイン接続されている。
【００１５】
前述したように、これらの分岐ブレーカ３の二次側から各々の負荷への配線が行われるのであるが、分岐ブレーカ３の二次側には、本発明の変流器保持部材１０が組み込まれ、各分岐ブレーカ３に対応させて変流器１１を保持している。図２に示されるように、分岐ブレーカ３の幅Ｗ１よりも変流器１１の幅Ｗ２の方が大きくなっている。
以下に本発明の変流器保持部材１０の構造を詳述する。
【００１６】
図３は変流器保持部材の斜視図、図４は図３の背面斜視図、図５は上面図である。
これらの図面に示されるように、本発明の変流器保持部材１０は中央に板状の本体部１２を備え、その表裏に変流器保持部１３を形成した構造を持つ、この実施形態では本体部１２は両端が変流器１１の外径に対応する円弧面となっており、表裏にそれぞれ２個の変流器１１を保持する構造である。しかし保持される変流器１１の個数はこれに限定されるものではなく、例えば表裏に３個の変流器１１を保持させるようにしてもよい。
【００１７】
変流器保持部１３は、変流器１１の電線挿通孔に挿通して変流器１１を保持する第１の係止爪１４と、変流器１１の外周面に当接して変流器１１を保持する第２の係止爪１５とを備えている。図６以下に示すように、変流器１１はこれらの複数の係止爪１４，１５によって巻線部を挟み込むように保持されている。なお第１の係止爪１４の先端部１６は第２の係止爪１５の方向に屈曲させてあり、変流器１１の脱落を防止している。
【００１８】
図６と図７に明示されるように、これらの変流器保持部１３は、表裏の変流器１１の巻線部が互いに重なり合うように変流器１１を千鳥状に保持できるように構成されている。すなわち、表側の変流器保持部１３と裏側の変流器保持部１３とは１/２ピッチずらせてある。また中央の板状の本体部１２には変流器１１の電線挿通孔とほぼ同径の貫通孔１７が形成されているが、図８に示されるようにこの実施形態では４つの貫通孔１７が等間隔で配置されている。この間隔は、分岐ブレーカ３の幅方向のピッチに等しくしておくことが好ましい。
【００１９】
なお、本体部１２は上面視するとジグザグ状に形成されており、中央側の変流器１１は第２の係止爪１５の反対側の円弧状片１８によっても保持されている。
【００２０】
さらに図９に示されるように、板状の本体部１２の端部に切欠き部１９を設け、隣接する変流器保持部材１０の本体部１２の端部と重なりあうように配置可能としておくことが好ましい。この構成により、隣接する変流器保持部材１０、１０間においても、同一ピッチで、かつ長手方向において直線状に変流器１１を保持することが可能となる。
【００２１】
このように構成された本発明の変流器保持部材１０は、図１に示されるように分電盤の分岐ブレーカ３の二次側に配置され、各分岐ブレーカ３に対応するように変流器１１を保持するものである。変流器１１は係止爪１４、１５によって弾性的にワンタッチで変流器保持部１３に保持させることができる。
【００２２】
また本発明の変流器保持部材１０は、表裏に変流器１１を保持することができるので、図２に示されるように変流器１１の幅Ｗ２が分岐ブレーカ３の幅Ｗ１よりも大きくても、支障なく取り付け可能である。このため分岐ブレーカ３の幅寸法が小さい場合にも、検出感度に優れた大型の変流器１１を各分岐ブレーカ３に対応させて保持することができる。
【００２３】
負荷配線は変流器１１の電線挿通孔をくぐらせたうえで、対応する分岐ブレーカ３の負荷側端子に接続される。第１の係止爪１４は、電線挿通孔の軸線方向に延びているので、負荷配線を通す際の支障とはならず、変流器保持部材１０の長手方向側に配置しているので、上下に配線し易くなり、分岐ブレーカ３の負荷側端子への配線の邪魔にならない。また本発明の変流器保持部材１０を用いれば、表面側あるいは裏面側において隣接する変流器１１の間隔を分岐ブレーカ３の幅寸法の２倍とすることができるので、配線作業が容易となる。
【００２４】
各変流器１１からのリード線２０は端部にアダプタを備え、図１に示すように分電盤の機器設置スペースに設けられた電流測定機器２１に入力される。各々の負荷に対応する変流器１１からの出力は電流測定機器２１に入力され、使用状況表示や電流使い過ぎによる警報を発することができる。
【００２５】
なおこの実施形態では、各変流器１１の電線挿通孔が分電盤の盤面(底面)に対して垂直となるように、すなわち板状の本体部１２が分電盤の盤面と平行になるように変流器保持部材１０を分電盤に取り付け、箱体底面の配線挿通孔から引き込まれた電線を方向を変えることなくそのまま変流器１１の電線挿通孔をくぐらせたうえ、分岐ブレーカ３の負荷側端子に接続できるようにした。しかし分電盤への変流器保持部材１０の取り付け方向は必ずしも図１の実施形態に限定されるものではなく、盤内に広い配線スペースを確保できるような場合には、各変流器１１の電線挿通孔が分電盤の盤面(底面)に対して平行となるように配置することも可能である。
【００２６】
以上に説明したように、本発明の変流器保持部材１０を用いれば、分電盤の各分岐ブレーカ３の二次側の配線作業を容易に行うことができ、分岐ブレーカ３の幅寸法が小さい場合にも、測定精度の高い大型の変流器１１を組み込むことができる。従って分電盤の各分岐ブレーカ３に接続された各負荷の電流を精度よく検知することができ、負荷電流の合理的な管理を行うに適する利点がある。
【符号の説明】
【００２７】
１  主幹ブレーカ
２  主幹バー
３  分岐ブレーカ
１０  変流器保持部材
１１  変流器
１２  本体部
１３  変流器保持部
１４  第１の係止爪
１５  第２の係止爪
１６  先端部
１７  貫通孔
１８  円弧状片
１９  切欠き部
２０  リード線
２１  電流測定機器
【図１】
0005728729.tif 000002
【図２】
0005728729.tif 000003
【図３】
0005728729.tif 000004
【図４】
0005728729.tif 000005
【図５】
0005728729.tif 000006
【図６】
0005728729.tif 000007
【図７】
0005728729.tif 000008
【図８】
0005728729.tif 000009
【図９】
0005728729.tif 000010